(57)【要約】【課題】  比較的大きな塗膜形成ムラを簡単に早く検出することが出来る塗膜形成ムラ検査装置を提供する。【解決手段】  塗膜形成ムラ検出装置１００は、表面に膜を塗布した基板Ｗを保持し回転する回転テーブル５と、基板Ｗに光を照射する光照射手段２と、光照射手段２による基板Ｗ表面からの正反射光を受光し、撮像画像の信号出力する光電変換手段４と、を備える。そして、基板Ｗの回転中心を含んで回転中心から半径方向の一走査分の電気信号の同一の距離の一週分の検出値を加算して複数の同心円加算値を求め、複数の同心円加算値から変化点を判断する。したがって、全基板Ｗ上においてムラ領域を簡単に判断することができ、処理効率の良い塗布ムラの検出が可能になる効果を奏する。【選択図】図１
2011033388.tif 000002
【特許請求の範囲】
【請求項１】
表面に膜を塗布した被塗布物を保持し回転する回転手段と、
前記被塗布物に光を照射する光照射手段と、
前記光照射手段による被塗布物表面からの正反射光を受光し、被塗布物の表面を撮像し、撮像画像の信号出力する光電変換手段と、
前記光電変換手段で撮像した正反射光をその光量に応じた電気信号に変換する変換手段と、
前記変換手段により変換された電気信号を被塗布物の回転中心を含んで回転中心から半径方向の一走査分の電気信号の同一の距離の一週分の検出値を加算して複数の同心円加算値を求め、複数の同心円加算値から変化点を判断する画像処理部と、
を具備することを特徴とする塗膜形成ムラ検査装置。
【請求項２】
請求項１記載の塗膜形成ムラ検査装置において、前記画像処理部は、前記同心円加算値の一定間隔ごとの差分の微分値から変化点を求めることを特徴とする塗膜形成ムラ検査装置。
【請求項３】
請求項１記載の塗膜形成ムラ検査装置において、前記光照射手段は、石英ロッドによる導光管による光源と、前記光源が挿入されたスリット状の開口を有する円筒支持部と、を具備することを特徴とする塗膜形成ムラ検査装置。
【発明の詳細な説明】
【技術分野】
【０００１】
この発明は膜の表面検査装置に関する。特に撮像画像に基づいて塗膜形成ムラを検出する技術分野に関する。
【背景技術】
【０００２】
表面に透明な膜、例えば半導体素子の製造工程において、単結晶ロットから切り出した半導体ウェハに多数の半導体素子を形成するが、この工程はレジスト、例えばフォトレジストを塗布し、このフォトレジスト膜を選択的にエッチングして所望形状の一導電形半導体層や電極、リードを形成することが行われていることは当業者において周知のことである。これらの各工程は、都度マスク合せが行われるが、レジスト表面の状態例えば膜厚の変化、異物、傷などは半導体の不良の原因となるため、早い工程で発見することが要望される。
【０００３】
そこで、透明な膜面に拡散光を照射して、この照明手段により上記膜面から正反射する位置で光電変換素子により撮像し、撮像信号をデジタル信号に変換したのち予め定められた単位で区分し、この各区分単位の加算信号について予め設定した基準信号と比較して各区分単位での分散を求める手段を具備してなる透明な膜の検査方法が提供されている（特許文献１）。
【０００４】
また、光学検査装置として、線状光源が、検査対象となる試料の表面上に一定幅を有する直線状の光を斜め方向から照射し、線状光源および試料の相対的移動により試料表面をスキャンする。ラインセンサは、試料表面に照射された線状光の反射光路に一致して配置され、試料表面からの反射光をその光量に応じた電気信号に変換する。それによって、試料表面上の傷、欠け等の形状検査を光学的に行う装置が提供されている（特許文献２）。
【０００５】
また、薄膜付きディスクの半径方向にレーザ光を走査し、ディスクを回転させ、レーザ光による薄膜付きディスクを回転させ、レーザ光による薄膜付きディスクからの薄膜干渉反射光を電気信号に変換し、半径方向への少なくとも１走査分の電気信号を比較し、その比較結果を基に薄膜付きディスクの欠陥を検出するようにした表面検査方法及びその装置が提供されている（特許文献３）。
【０００６】
しかしながら、これらの欠陥検出では、塗膜形成ムラの検出は簡単には出来ない。塗膜形成ムラの発生は、塗布対象物の表面上で連続的に発生し、大きな領域を占める。これに対して、欠陥検出技術では、比較的小さな領域で発生する欠陥を検出する目的から、微少領域ごとに基準値との比較によって欠陥を判断する。そのため、大きな領域を有する塗布ムラを対象とした場合、全体を比較検査しないと塗膜形成ムラを検出できないという欠点がある。
【０００７】
それらに対して、ガラス基板上に形成されたカラーフィルタを透明照明または反射照明によって照明し、撮像部によって画像データとして読み込み、画像処理部によって欠陥の抽出を行った後にコンピュータによって良否判定を行い。その欠陥の抽出においては、射影データに対して一定区間離れた部分との差をとることで差分データを得て、その得られた差分データをさらに１画素ずつずらしながら相関係数を算出し、その相関係数ピークとピーク位置を求めることで周期性のあるムラを検出する提案がある（特許文献４）。
【０００８】
また、透明樹脂被膜の塗布ムラを効率的に検出する塗布ムラ検査方法を提供するため、透明樹脂の塗布方向及びこれに直交する方向に分割して多数の小領域とし、これら小領域に光を照射してその反射光強度を小領域毎に測定し、前記塗布方向又は塗布方向に直交する方向を積算方向として、この積算方向に沿って並んだ小領域の反射光強度を基準エリア内で積算処理して基準積算値を算出し、前記塗布方向又は塗布方向に直交する方向を積算方向として、この積算方向に沿って並んだ小領域の反射光強度を前記基準エリア内の走査エリア内で積算処理して積算値を算出し、前記基準積算値及び積算値から所定区間内で分散を算出し、前記基準エリア及び走査エリアの分散値との比較演算により塗布ムラを抽出する提案がある（特許文献５）。
【先行技術文献】
【特許文献】
【０００９】
【特許文献１】特開昭６１−２０１１０７
【特許文献２】特開平１−２１４７４３
【特許文献３】特開平７−１２７４７
【特許文献４】特開平１０−１８５７６５
【特許文献５】特開２００７−２４０３４３
【発明の概要】
【発明が解決しようとする課題】
【００１０】
しかしながら、前記従来技術では、小領域に分割して比較演算することで塗膜形成ムラを抽出できるが、所定区間内で積算値の分散を算出しており、処理に時間を有するものであった。これらの技術は透明樹脂の塗膜形成ムラを検出することを対象としているため、目視困難な塗膜形成ムラが検出される。そして、基準値との比較を得るために積算値を用いる等の工夫を行う反面、積算値を得るための演算を必要とするものである。これらの計算を必要とするがために、大きな塗膜形成ムラを簡単に早く検出することが困難であった。
【００１１】
一方、回転する塗布対象物に対する塗膜形成ムラは、遠心力を利用して塗布膜を広げる塗布方法を採用する点から、比較的大きな塗膜形成ムラが発生する。そのような塗膜形成ムラを簡単に早く検出することが望まれている。
【課題を解決するための手段】
【００１２】
本発明は上記課題を解決するために、本発明の請求項１に係る塗膜形成ムラ検査装置は、表面に膜を塗布した被塗布物を保持し回転する回転手段と、前記被塗布物に光を照射する光照射手段と、前記光照射手段による被塗布物表面からの正反射光を受光し、被塗布物の表面を撮像し、撮像画像の信号出力する光電変換手段と、前記光電変換手段で撮像した正反射光をその光量に応じた電気信号に変換する変換手段と、前記変換手段により変換された電気信号を被塗布物の回転中心を含んで回転中心から半径方向の一走査分の電気信号の同一の距離の一週分の検出値を加算して複数の同心円加算値を求め、複数の同心円加算値から変化点を判断する画像処理部と、を具備するようにしたものである。
【００１３】
また本発明の請求項１記載の塗膜形成ムラ検査装置において、前記画像処理部は、前記同心円加算値の一定間隔ごとの差分の微分値から変化点を求めるようにしたものである。
【００１４】
また本発明の請求項１記載の塗膜形成ムラ検査装置において、前記光照射手段は、石英ロッドによる導光管による光源と、前記光源が挿入されたスリット状の開口を有する円筒支持部と、を具備するようにしたものである。
【発明の効果】
【００１５】
本発明の請求項１に係る塗膜形成ムラ検査装置によれば、被塗布物の回転中心を含んで回転中心から半径方向の一走査分の電気信号の同一の距離の一週分の検出値を加算して複数の同心円加算値を求め、複数の同心円加算値から変化点を判断する。したがって、全被塗布物上においてムラ領域を簡単に判断することができ、処理効率の良い塗布ムラの検出が可能になる効果を奏する。
【００１６】
また本発明の請求項２に係る塗膜形成ムラ検査装置によれば、同心円加算値の一定間隔ごとの差分の微分値から変化点を求める。したがって、塗膜形成ムラによる同心円加算値の変化をより強調して抽出することができる。
【００１７】
また本発明の請求項３に係る塗膜形成ムラ検査装置によれば、光照射手段が石英ロッドによる導光管による光源と、円筒支持部により構成する。したがって、被塗布物の広範な範囲を同時に照射する構造な簡単な構造で達成できる。
【図面の簡単な説明】
【００１８】
【図１】本発明の塗膜形成ムラ検査装置の正面図である。
【図２】本発明の塗膜形成ムラ検査装置の平面図である。
【図３】光照射手段２の要部断面図である。
【図４】塗膜形成ムラ検査装置における光路を説明する概略説明図である。
【図５】画像処理装置６の具体例を説明する説明図であり、図５（ａ）は塗膜形成後の基板Ｗの表面状態を示す平面説明図であり、図５（ｂ）は基板Ｗの像信号を示す説明図であり、図５（ｃ）は反射光量による基板Ｗの像信号から求められた同心円加算値を示す説明図である。
【図６】同心円加算値と微分値を説明する説明図であり、図６（ａ）は塗布膜の撮像光量が正反射光の場合の説明図であり、図６（ｂ）は塗布膜の撮像光量が正反射光でない場合の説明図であり、図６（ｃ）は微分値の変化点を示す説明図である。
【発明を実施するための形態】
【００１９】
以下、本発明の実施例を図１乃至図５に基づいて説明する。
【００２０】
まず、図１及び図２を用いて、本実施例の基本的構成及び作用を説明する。図１は検査装置の正面図、図２は検査装置の平面図である。
【００２１】
なお、本発の被塗布物としては円形の半導体ウェハであり、表面が透明な膜として半導体素子製造各工程における半導体ウェハ表面に形成される感光性材料であるレジスト膜である。そして、例えば塗布後のフォトレジスト表面の塗膜形成ムラの変化を測定するための半導体ウェハ表面のレジスト膜の検査装置に適用した実施例を、図面を参照して説明する。なお、レジスト膜に限らず、レジスト膜の下に塗布される例えばポリイミド樹脂より成る反射防止材、レジスト表面を保護する例えば、アルカリ可溶性ポリマーとアルコール溶剤によるトップコートの塗膜形成ムラを測定してもよい。
【００２２】
図１に示すように、塗膜形成ムラ検査装置１００は、検出ユニット１内に、回転テーブル５、光源２１を含む光照射手段２、光学系３及び光電変換手段４が収納されている。Ｗは被塗布物である半導体ウェハ等の基板で、５は回転手段としての回転テーブルであり、基板Ｗは全面検査をするためにこの回転テーブル５で保持し回転される。基板Ｗは、全面検査のために回転テーブル５により１回転以上回転される。
【００２３】
光照射手段２は、上記回転テーブル５に保持された基板Wの垂直方向上方に配置される。光照射手段２は、石英ロッドによる導光管による光源２１がアルミ製の円筒支持部２３に挿入され、円筒支持部２３の一端が検出ユニット１の側壁１０１に固定され、他端が連結部２４と連結管２５を介して他方の側壁１０２に固定される。
【００２４】
光照射手段２を更に詳細に説明する。図３は光照射手段２の要部断面図である。図３を参照し、光源２１の周面の一部に反射材２２が装着される。反射材２２により反射される光の多くは反射材２２の対向面側から放出されることとなる。そして、この反射材２２の対向面側の円筒支持部２３にはスリット２８が形成される。よって、光源２１から放出された光は円筒支持部２３により遮断されるとともに、スリット２８から基板Ｗに向けて照射される。
【００２５】
光源２１は連結部２４で光ファイバー２６の一端と連設されており、この光ファイバー２６が連結管２５の内部を通って側壁１０２から検出ユニット１の外に延設される。そして、光ファイバー２６の他端が検出ユニット１の外に配置されるＬＥＤ２７に対向される。こうすることで、ＬＥＤ２７が点灯すると、その光が光ファイバー２６を介して光源２１に導入される。光源２１に導入された光は、石英ロッドの周囲から放射され、スリット２８から照射される。
【００２６】
図１に戻って、上記基板Ｗの垂直方向上方に光電変換手段４として例えばラインセンサカメラを配置する。ラインセンサカメラとしては、ＣＣＤ、ＭＯＳ等のラインセンサ素子、増幅器、駆動回路、Ａ／Ｄ変換器、メモリ、入出力回路、結像レンズ（撮像レンズ）、筐体、等により構成される周知のラインセンサカメラを使用することができる。
【００２７】
この光電変換手段４への入射光は、基板の回転中心Ａ０を含む半径方向のラインとなるようにした照射光によるレジスト膜の表面からの正反射光である。即ち、光源２１からの光の一部はレジスト膜の表面に入射する。この時の入射角α１はレジスト膜面に対して２０度乃至４０度が好適で、好ましくは３０度である。この入射による基板Ｗの略半径分の正反射光の正反射光路が光電変換手段４のレンズに入射するように光学系３を配置する。
【００２８】
光学系３は、平面状のミラー３１とミラー３１を保持する保持板３２により構成される。保持板３２は検出ユニット１の側壁１０３に装着され、基板Ｗからの反射角α２の正反射光を直上の光電変換手段４に導くようにミラー３１の角度を調整後に固定する。
【００２９】
図４は、塗膜形成ムラ検査装置１００における光照射手段２から光電変換手段４への光路を説明する概略説明図である。図４は、正反射光路がわかるように光電変換手段４をずらして描いているが、図２に示すように光電変換手段４は光学系３の略垂直上方に配置されている。図４に示されるように、基板Ｗからの正反射光は内部の受光レンズを介して光電変換手段４により受光され、電気信号に変換される。そして、この電気信号が信号処理手段としての画像処理部である画像処理装置６で処理されて制御部１０にて基板Ｗの塗膜形成ムラが検出されるようになっている。基板Ｗからの反射角α２の正反射光を直上の光電変換手段４に導くようにミラー３１は、基板Ｗ上の走査ラインである撮像領域Ｌの縮小画像が光電変換手段４の受光部に結像されるようにその角度と、光電変換手段４との距離が調整し設定されている。
【００３０】
図１に戻って、回転テーブル５は駆動機構台上に設けられ、回転テーブル５上に基板Ｗが載置された時正しくテーブル面に密着される如くバキュームによる吸気孔が設けられている。上記駆動機構台内にはモータ９が配置され、モータ９からの回転を予め定められた速度に変換する速度変換ギヤが設けられている。上記モータ７は後述する制御部１０により制御される。
【００３１】
回転テーブル５上に被検査体としての表面にレジスト膜の設けられた半導体製造工程途中の基板Ｗを、レジスト膜を上方にして設置する。基板Ｗが設置される。この載置手段は半導体製造工程の検査毎にロボット駆動などでレジスト膜の設けられていない裏面を吸着して側壁１０３の開口１０４を通って移送載置し、検査終了後再び搬送ロボットにより吸着して次工程に移送するシステムラインを作る。
【００３２】
また、図示しない基板Ｗのローダ・アンローダとしてワーク移載ロボットとカセットが備えられている。ワーク移載ロボットはカセットから基板Ｗを抜き取って回転テーブル５上にセットし、検査終了後に、その基板Ｗを回転テーブル５上からカセットに収納するようになっている。この場合、ＯＫ及びＮＧ用のカセットを用意して検査結果により基板Ｗを振り分けてもよい。
【００３３】
７は検出ユニット１内の各構成に電力を供給する電源装置、１０は画像処理装置６とともに電気信号を処理して良否判定等を行う制御部である。上記光電変換手段４の出力信号を増幅形成されて画像処理装置６に入力し、この画像処理装置６で信号処理することにより膜厚の変化情報を電気的波形整形して制御部１０に入力する。この制御部１０には判定機能が内蔵され、コンピュータなどにより画像処理装置６の出力信号を演算処理して上記塗膜形成の変化の有無とか、良否などの判断を行う。この判断結果を画像処理装置６に戻してテレビモニタなどに表示するようにしてもよい。制御部１０での検査状況に応じて基板Ｗを移動させたい時、モータ９を介して回転テーブル５を駆動させる。
【００３４】
次に図５を参照して画像処理装置６の具体例を説明する。図５（ａ）は塗膜形成後の基板Ｗの表面状態を示す平面説明図であり、図５（ａ）において基板Ｗ内の曲線Ｌ１０で示した境界の内側部位と外側部位はレジスト厚の異なる部分である。図５（ｂ）は光電変換手段４により得られた基板Ｗの像信号を示す説明図である。図５（ｃ）は後述する方法により反射光量による基板Ｗの像信号から求められた同心円加算値を示す説明図である。図５（ａ）において、点線で示した撮像領域Ｌは光源３による露光領域で、光電変換手段４による撮像領域となる。光電変換手段４による撮像領域Ｌの正反射光は光電変換器（Ａ／Ｄ変換器）でデジタル信号に変換され出力する。
【００３５】
撮像領域Ｌは、走査ライン長さが基板Ｗの半径と基板Ｗの外側に領域Ｌ１として２ｍｍ長く、基板Ｗの回転中心側は領域Ｌ２として２ｍｍ長く設定される。そうすることで基板Ｗが位置ずれした時のマージンとしている。撮像領域Ｌのライン幅は、１画素が３０μｍの解像度で３６０μｓｅｃごとに１ラインが撮像される。よって、基板Ｗが３６０度回転、即ち１回転を３．６秒で行う間に、約１万ラインが撮像され出力される。こうして得られた基板Ｗの像のデジタル信号を図５（ｂ）に示す。このデジタル信号をメモリに記憶する。画像処理装置６は、この図５（ｂ）のデータをもとにして後述の信号変換を行う変換手段として変換処理部６１を備える。
【００３６】
撮像領域Ｌの基板Ｗの１周分で得た画素ごとの撮像画像を基板Ｗ回転中心Ａ０から同一距離にある位置で全周囲に渡って並べると図５（ｂ）に示すような画像が得られる。ここで、撮像領域Ｌで検出された撮像光量に応じた電気信号は、薄膜の干渉により光量が変動する。変換処理部６３が、この撮像光量を画素ごとに８ｂｉｔの２５６階調で撮像光量に応じた撮像電気信号として変換してデジタル化する。例えば、光量が多いほど階調が高くなるように関係が設定されている。そして、予め測定した光源３の撮像領域Ｌにおいて測定し同様に２５６階調で照射光量に応じてデジタル化した照射電気信号を１走査ライン毎に撮像電気信号から引き算し、補正撮像電気信号とする。これによって、ＬＥＤ２７に光量ムラがあった場合の影響を無くす。
【００３７】
そして、図５（ｃ）に示すような信号処理が行われる。図５（ｃ）は反射光量による基板Ｗの撮像光量に応じた補正撮像電気信号から求められた同心円加算値を示す説明図である。画像処理装置６によって、図５（ｂ）に示すように基板Ｗの１周分で得た像のデジタル化した補正撮像電気信号を基板Ｗ中心から同一距離にある位置で全周囲に渡って加算してカウントすることにより、薄膜の膜厚の反射光量による同心円加算値Ｌ１１が図５（ｃ）のように得られる。画像処理部６が、この同心円加算値Ｌ１１から後述する変化点を検出し出力することで、制御部１０が良否判定等を行う。よって、画像処理部６と制御部１０の一部が本発明の画像処理部に相当する。
【００３８】
次に検査動作を説明する。基板Ｗが回転テーブル５上に載置されると、光照射手段２により基板Ｗ表面の露光が開始される。もし基板Ｗ上に塗膜形成ムラがあれば、この塗布ムラにより光源２１からの光が散乱し、その正反射光の一部が光電変換手段４に入射せず撮像される。もし塗布ムラがなければ照明光は基板Ｗ上で全反射した正反射が光電変換手段４に入射する。なお、膜によって逆の場合もあるが、本実施例では正常な塗膜から正反射が行われる場合として説明する。この時、基板Ｗの表面にはレジストの薄い膜が形成されており、前記正反射光像を見るとレジストの厚さの違い、または塗布膜のある部位と無い部位によって色が異なって見える。なお、レジスト材は感光性材料のため紫外線により感光するため、ＬＥＤ２７からの光はフィルタ等により紫外線をカットされている。
【００３９】
従って光電変換手段４で撮像することで正反射光の光量を検出することができる。これは基板Ｗ上のレジスト膜厚変化を光電変換手段４で撮像できる。また、光電変換手段４は画像処理装置６および全体制御を行う制御部１０に接続されており、基板Ｗ上のレジスト表面状態を自動的に知ることができる。即ち、光電変換手段４の出力信号を増幅、成形したのち、デジタル化して画像処理装置６でメモリに記憶する。メモリに記憶した情報を予め定めた手段で読み出して塗膜形成ムラの有無の判定を行うため画像処理装置６で予め定められた信号処理を行う。
【００４０】
上記画像処理装置６の処理において入力情報から基板Ｗを回転移動させたい場合、回転のプログラムをモータ９に出力して回転テーブル５を回転させる。回転のプログラムは例えば何度回転させて停止させ、次に何度回転させて停止するなどの動作プログラムである。これらは、予め制御部１０のメモリに記憶される。
【００４１】
次に、基板Ｗの露光を行いながら回転テーブル５を回転させるとともに、撮像領域Ｌの撮像を基板Ｗの１回転中継続する。そして、基板Ｗの１周分で得た画素ごとの撮像画像を図５（ｂ）に示すように得る。ここで、撮像領域Ｌで検出された撮像電気信号から光源３の撮像領域Ｌにおいて測定した照射電気信号を１走査ライン毎に撮像撮像光量から引き算し補正撮像電気信号を得る。
【００４２】
そして、図５（ｃ）に示すように、補正撮像電気信号を基板Ｗ中心から同一距離にある位置で全周囲に渡って加算してカウントすることにより、同心円加算値Ｌ１１を得る。曲線Ｌ１０の基板回転中心Ａ０側である内側において塗膜形成ムラがなく反射光量が多く強い光量が得られており、曲線Ｌ１０の外側においては反射光量が少なく弱い光量が得られており、それに伴う階調差が現れている。そのため、同心円加算値Ｌ１１を求めると階調値が高い領域と階調値の低い領域との境界が現れる。
【００４３】
上記のように、照射光は基板Ｗの半径方向に走査されるため、光電変換手段４から出力される電気信号はライン状となり、画像処理装置６での演算等の信号処理が容易となる。
【００４４】
次に、同心円加算値Ｌ１１を例えば１００画素ごと、即ち３ｍｍ離して画素毎に差分を取り、微分値を求める。微分値を図５（ｃ）の全てで求める計算を行う。
【００４５】
図６は、同心円加算値と微分値を説明する説明図であり、図６（ａ）は塗布膜の撮像光量が正反射光の場合の説明図であり、図６（ｂ）は塗布膜の撮像光量が正反射光でない場合の説明図であり、図６（ｃ）は微分値の変化点を示す説明図である。図６（ａ）に示すように、同心円加算値が塗膜形成ムラを境にして大きく下方に変化している場合、点線で示す微分値Ｌ２０は変化点で大きく下方に凸形状を示す。そして、その凸形状において閾値Ｖ１を予め設定することで、基板Ｗ上に塗布領域及び塗膜形成ムラ領域があるとする。即ち、光照射位置が塗膜形成ムラ領域上にあるとき、塗膜形成ムラ領域位置に相当する部分の光量が変る。この場合に同心円加算値を取ると、塗布領域の同心円加算値との間に大きさ差が抽出される。
【００４６】
画像処理装置６では、同心円加算値から求められた微分値Ｌ２０を出力し、制御部１０により次のような処理が行われる。予め複数のレジストが塗布された基板Ｗを実験的に測定する。その結果、図６（ａ）に示すように、塗布領域と塗膜形成ムラ領域の境界を判定するレベルＶ１を求めて信号上に設定する。これと実際の検査工程における検査対象基板Ｗの微分値Ｌ２０の凸状変化点を比較することにより容易に検出される。
【００４７】
即ち、上記のように反射した光量をデジタル化すると、同心円加算値が大きく変動する変化点を検出することが可能であるため、塗膜形成ムラ領域レベルＶ１を容易に設定可能となる。このレベルＶ１を予め求めて制御部１０に入力設定しておく。なお、同心円加算値が図６（ａ）とは逆に下方から上方に変化点を示す場合は、図６（ｂ）に示すように点線で示す微分値Ｌ３０が上方へ凸形状となるため、塗膜形成ムラ領域レベルＶ２を新たに設定すればよい。または、レベルＶ２も予め入力設定しておくことで、両方の場合を検査することが可能なようにしておいてもよい。
【００４８】
このように、制御部１０で、図６（ｃ）に示すように設定した塗膜形成ムラ領域レベルＶ１とＶ２に相当する変化点が同心円加算値の微分値Ｌ２０またはＬ３０上に存在するか判断する。その検査結果を画像処理装置６に設けられているテレビモニタに表示するようにしてもよい。そして、レベルＶ１とＶ２を超える変化点を検出することで塗膜形成ムラが有りと判断する。このように、上記実施形態の塗膜形成ムラ検査装置においては、比較的広範囲な変化を示す塗膜形成ムラを確実に検出することができる。
【００４９】
なお、上記実施形態において同心円加算値から求めた微分値から塗膜形成ムラの判断を制御部１０にて処理するようにしたが、画像処理装置６にて判断を処理するように構成してもよい。
【００５０】
また、画像処理装置６と制御部１０を別構造としたが、同様な制御機能を備えるように一体的な処理部として構成してもよい。
【００５１】
また、上記実施形態では、被塗布物として円形の基板を対象としたが、回転テーブルに載置し回転しながら塗布する対象であれば平面四角形や平面台形等の形状を示すガラス基板やカラーフィルタ等の矩形基板を被塗布物としてもよい。
【産業上の利用可能性】
【００５２】
本発明の塗膜形成ムラ検査装置は、膜を塗布した被塗布物の塗膜形成ムラの検査に利用することができる。
【符号の説明】
【００５３】
１      検出ユニット
１００  塗膜形成ムラ検査装置
２      光照射手段
２１    光源
３      光学系
４      光電変換手段
５      回転テーブル
６      画像処理装置
６１    変換処理部
１０    制御部
Ｌ      撮像領域
Ｌ１１  同心円加算値
Ｗ      基板
【図１】
2011033388.tif 000003
【図２】
2011033388.tif 000004
【図３】
2011033388.tif 000005
【図４】
2011033388.tif 000006
【図５】
2011033388.tif 000007
【図６】
2011033388.tif 000008